(57)【要約】【課題】浴槽手前側の洗い場を広くすることができ、視覚的にもすっきりした浴室を構成することができる浴室構造を提供すること目的とする。【解決手段】水平断面輪郭寸法が下方に向かって縮小する浴槽１を備える。浴室側壁２に隣接させる段部３に浴槽１の後半分部10が埋め込み状とされ、前半分部11が段部３から前方突出状とされ、かつ、前半分部11において、浴槽１の前方下方域ａ1 及び両側方下方域ａ2 ，ａ2 に欠損空間部Ａが形成されたものである。【選択図】    図１
2005054446.tif 000002
【特許請求の範囲】
【請求項１】
水平断面輪郭寸法が下方に向かって縮小する浴槽（１）を備え、浴室側壁（２）に隣接させる段部（３）に該浴槽（１）の後半分部（10）が埋め込み状とされ、前半分部（11）が該段部（３）から前方突出状とされ、かつ、該前半分部（11）において、該浴槽（１）の前方下方域（ａ1 ）及び両側方下方域（ａ2 ）（ａ2 ）に欠損空間部（Ａ）が形成されることを特徴とする浴室構造。
【請求項２】
上記欠損空間部（Ａ）の欠損体積（Ｖ1 ）は、上記浴槽（１）の上記前半分部（11）における上部の最大水平断面形状をそのまま下端まで同一断面形状として形成される仮想柱体（Ｅ）の空間体積（Ｖ0 ）の３０％〜４０％とされた請求項１記載の浴室構造。
【請求項３】
上記段部（３）の上面（３ａ）は、上記浴槽（１）の上端（１ａ）より下方位置に配設された請求項１又は２記載の浴室構造。
【請求項４】
上記段部（３）内に、上記浴槽（１）内への配管用スペースとなり該段部（３）の側部（３ｃ）において手前側から施蓋部材（６）にて閉じられて形成される空室部（５）が設けられた請求項１，２又は３記載の浴室構造。
【請求項５】
上記段部（３）から前方に向かって洗い場床面（８）が配設され、該洗い場床面（８）は上記浴槽（１）の下方位置に集排水凹部（12）を形成するための開口部（14）を備え、該開口部（14）に平面蓋板（13）を施蓋して該洗い場床面（８）と連続面状に形成される請求項１，２，３又は４記載の浴室構造。
【発明の詳細な説明】
【技術分野】
【０００１】
本発明は、浴室構造に関するものである。
【背景技術】
【０００２】
従来、浴室内において、浴槽本体の手前面───洗い場側の面───には、エプロンと呼ばれる鉛直平板状の部材が取り付けられている。エプロンは、通常、浴槽の上部から洗い場の略床面までにわたる高さ寸法を有し、浴室の両側の壁面間にわたる幅寸法を有する部材である（例えば、特許文献１）。
【０００３】
従って、浴槽本体とエプロン、及び、浴槽本体と浴室の側壁との間には無駄な空間が生じており、また、その空間には水が浸入する構造であるため水垢等が発生しやすく、空気の流れもないため湿気がこもりがちであり、また、掃除もしにくく、カビや異臭が発生し非常に不衛生であった。
【特許文献１】特開２００３−１０２６３５号公報
【発明の開示】
【発明が解決しようとする課題】
【０００４】
解決しようとする課題は、浴室内において、無駄な空間が多いため洗い場を狭くしているという点である。また、手前のエプロン部より後方側、つまり、浴槽本体の外周部が水垢等にて汚れて不衛生となる点である。
【課題を解決するための手段】
【０００５】
本発明は、水平断面輪郭寸法が下方に向かって縮小する浴槽を備え、浴室側壁に隣接させる段部に該浴槽の後半分部が埋め込み状とされ、前半分部が該段部から前方突出状とされ、かつ、該前半分部において、該浴槽の前方下方域及び両側方下方域に欠損空間部が形成されたものである。
【０００６】
また、上記欠損空間部の欠損体積は、上記浴槽の上記前半分部における上部の最大水平断面形状をそのまま下端まで同一断面形状として形成される仮想柱体の空間体積の３０％〜４０％とされている。
また、上記段部の上面は、上記浴槽の上端より下方位置に配設されている。
また、上記段部内に、上記浴槽内への配管用スペースとなり該段部の側部において手前側から施蓋部材にて閉じられて形成される空室部が設けられている。
また、上記段部から前方に向かって洗い場床面が配設され、該洗い場床面は上記浴槽の下方位置に集排水凹部を形成するための開口部を備え、該開口部に平面蓋板を施蓋して該洗い場床面と連続面状に形成されるものである。
【発明の効果】
【０００７】
本発明の浴室構造は、浴槽の前半分部（前方と両側方）の下方位置に空間部が形成されるため、浴槽の手前側に配設される洗い場の有効な空間を広くすることができる。
また、浴槽の形状が下方へ縮小する形状であり、浴室内へ入ると、視覚的にもすっきりした浴室と感じられ、清潔感が感じられる。
【発明を実施するための最良の形態】
【０００８】
図１は、本発明に係る浴室構造の実施の一形態を示す浴室内の斜視図であり、また、図２と図３と図４は、浴室構造の浴室内部における正面図と側面図と平面図である。この浴室構造は、例えば、一般家庭向きのユニットバスにおいて適用できる。
なお、図２と図３では、浴槽１を断面にて表している。
【０００９】
この浴室構造は、図１から図４に示すように、水平断面形状が下方に向かって縮小する浴槽１を備えている。つまり、浴槽１の水平断面における輪郭寸法が、下方に向かうにつれて徐々に縮小していく。
【００１０】
そして、浴室側壁２に隣接させる段部３に浴槽１の後半分部10が埋め込み状とされ、浴槽１の前半分部11がその段部３から前方突出状とされ、かつ、浴槽１の前半分部11において、浴槽１の前方下方域ａ1 及び両側方下方域ａ2 ，ａ2 に欠損空間部Ａが形成されている。
つまり、段部３から前方突出状の前半分部11において、浴槽１が下方に向かって縮小する形状であるため、浴槽１の前方下方域ａ1 及び両側方下方域ａ2 ，ａ2 に欠損空間部Ａが形成される。
なお、本発明において、前方とは、浴槽１内から洗い場４に向いた方向を前方とし、その反対の方向を後方としている。さらに、浴槽１内から洗い場４方向に向いて左右方向を側方としている。
【００１１】
浴槽１はＦＲＰ製であり、型枠にて成形され、図２と図３に示すように、浴槽１の周壁は、内壁と外壁の２層構造とされ間に小中空部を有している。
そして、浴槽１の形状は、平面視において長円形状とされ、側面視及び平面視において（角部の無い）滑らかな曲面により下方縮小状とされている。
なお、浴槽１の平面視形状は、図示省略するが、偏平円形、楕円形、卵形等であってもよい。
【００１２】
段部（カウンター部）３は、浴室側壁２の下部において浴室側壁２と連続するよう段付き形状に形成され、上面３ａと、鉛直面状の段部側壁面３ｂと、を形成している。
そして、段部３の長手方向中央部に、浴槽１を埋め込み状とさせる凹受部15を形成している。
【００１３】
段部３の左右方向である幅寸法Ｄは、浴槽１の長手寸法ｄよりも大きく設定されている。従って、浴槽１の前半分部11の両側方領域であって段部３の段部側壁面３ｂの前方領域には、空間部が形成されている。
【００１４】
また、段部３の前後方向である奥行き寸法Ｂは、浴槽１の奥行き寸法（短軸長さ）ｂの半分の寸法と同じ、乃至、奥行き寸法ｂの半分の寸法より少し大きめとしている。
具体的には、段部３の奥行き寸法Ｂは、浴槽１の奥行き寸法（短軸長さ）ｂの半分の寸法（ｂ／２）の１〜１．２倍の寸法としている。
【００１５】
さらに、段部３の高さ寸法Ｈは、浴槽１の高さ寸法ｈよりも低く設定している。つまり、段部３の上面３ａは、浴槽１の上端１ａより下方位置に配設されている。
具体的には、段部３の上面３ａは、浴槽１の上端１ａよりも２〜８cm低く設定してされている。
また、段部３の上面３ａは水平面状としてもよいが、水の滞留を防ぐために上面３ａを傾斜面とするのが好ましい。
【００１６】
浴室内における浴槽１の配置は、平面視長円形状の浴槽１の長軸方向（長手方向）を、両側方である左右方向とし、浴槽１の短軸方向を、前後方向としている。
そして、浴槽１の左右両側面の前後略中央部において、段部３の段部側壁面３ｂと交わる。
【００１７】
浴槽１は、後半分部10が段部３に埋め込み状とされているが、浴槽１は浴室内において浴室床面に載置状とされており、浴槽１の下方向きの荷重全てを段部３にあずけることなく、浴室床面の載置面部にて主に受けている。
段部３の前方中央部に形成させ浴槽１を埋め込み状とする凹受部15は、浴槽１と当接する面は、浴槽の外壁面の曲面形状に沿った形状である凹曲面とされ、段部３は浴槽１を側方から支持し、浴槽１を安定させている。
【００１８】
また、段部３の上面３ａと浴槽１の外壁面とのつなぎ部、及び、段部側壁面３ｂと浴槽１の外壁面とのつなぎ部は、シーリング剤と止水パッキンの併用にてシールされており、段部３と浴槽１との隙間に水が浸入しないようしている。
【００１９】
図５は、浴室構造の概略構造を示す斜視図であり、浴槽１が下方に縮小していく形状であることにより形成される欠損空間部Ａの欠損体積Ｖ1 について説明する。
この欠損体積Ｖ1 は、浴槽１の前半分部11における上部の最大水平断面形状をそのまま下端まで同一断面形状として形成される仮想柱体Ｅの空間体積Ｖ0 の３０％〜４０％とされている。そして、図６が、その仮想柱体Ｅを説明する斜視図である。
【００２０】
この欠損体積Ｖ1 が仮想柱体Ｅの空間体積Ｖ0 の３０％未満であると、浴槽１を下方縮小状としたことによる空間部の確保の効果が薄れ、洗い場４の有効面積がさほど拡大しない。
つまり、洗い場４に居る人が座った状態で、浴槽１の前方下方域ａ1 及び側方下方域ａ2 に、足を投げ出すことができるほどの広さを得られない。
また、欠損体積Ｖ1 が、仮想柱体Ｅの空間体積Ｖ0 の４０％を越えると、浴槽１の下部が縮小され過ぎて浴槽１の底面の面積が小さくなる。これにより、浴槽１が不安定となるおそれがあり、また、浴槽１内における体積が小さくなり窮屈な浴槽１となってしまう。  
【００２１】
また、段部３内に、浴槽１内への配管用スペースとなり段部３の側部３ｃにおいて手前側から施蓋部材６にて閉じられて形成される空室部５が設けられている。
つまり、空室部５内において、例えば、浴室の外部から配管される管と、浴槽１内へ連通する管とを接続させている。
これらの管は、例えば、追い焚き用の給湯管や、混合水栓用の配管等がある。
【００２２】
空室部５は、段部３の両側部３ｃ，３ｃで前方に向かって開口するよう形成され、一方の側部３ｃから他方の側部３ｃまで、浴槽１の後半分部10の外壁に沿って連続して段部３内に形成される。つまり、空室部５は浴槽１が段部３に設置されて平面視Ｕ字状の空間部となるものであり、段部３の凹受部15に段階状となって形成されたものである。空室部５は、施蓋部材６が閉じられて密閉状となるようしてもよいが、集排水凹部12内へ漏れた水等を排出するドレン配管を接続させてもよい。そして、施蓋部材６の手前面が、段部側壁面３ｂとなる。
また、空室部５の底面は、洗い場４の水が空室部５内へ浸入しないよう、洗い場床面８よりも高い位置とされている。
【００２３】
この空室部５により、段部３から前方突出状となるよう浴槽１を設置してから、洗い場４にて、外部からの管と浴槽１内へ連通する管との接続作業が行なえる。そして、接続後は、施蓋部材６にて施蓋すれば空室部５を隠すことができ、この施蓋部材６の取付けをボルト止め又は金具等により着脱可能な構造とすれば、後のメンテナンスを容易にすることができる。
【００２４】
この空室部５は、図２に示すように、浴槽１の左右両側部に開口するため、空室部５のどの位置からでも外部より配管を引き込ませることができる。これにより、この浴室ユニットを設置する家屋の配管計画に自由度が増し、施工を容易とできる。
【００２５】
また、段部３から前方に向かって洗い場床面８が配設され、洗い場床面８は浴槽１の下方位置に集排水凹部12を形成するための開口部14を備えている。
開口部14（集排水凹部12）は、図１に示すように、欠損空間部Ａの前方下方域ａ1 に露出するよう形成されており、開口部14に平面蓋板13が施蓋されて洗い場床面８と連続面状に形成されている。  
つまり、洗い場床面８から一段下がった集排水凹部12が形成されているが、平面蓋板13にて平坦面を構成し、欠損空間部Ａの前方下方域ａ1 において平坦な洗い場４を確保している。
【００２６】
次に、図７と図８と図９は、浴室内のレイアウトを説明する平面図であり、浴室は半分部が浴槽占有部であり、残り半分部が洗い場４となる。また、浴室全体は、平面視において正方形乃至長方形であり、正方形の場合、図示省略するが、浴槽１の長手方向が浴室の一辺部（１つの浴室側壁２）と平行となるよう配設される。
【００２７】
また、図７のように、浴室が長方形の場合において、浴槽１の長手方向が浴室の短辺方向と平行となるよう浴槽１及び段部３を配置してもよく、また、図８のように、浴槽１の長手方向が浴室の長辺方向と平行となるよう浴槽１及び段部３を配置してもよい。
この場合、段部３は、平面視において、中央に大きな凹受部15を有する一文字状とされ、段部３は、浴室の下部において、１面の浴室側壁２の全幅とその両側の浴室側壁２，２の一部と接している。
【００２８】
さらに、別の実施の形態としては、図９に示すように、浴槽１の長手方向が浴室側壁２と傾斜角度を有するよう浴槽１を配設してもよい。
この場合、段部３は、平面視において、底辺中央部に大きな凹受部15を有する三角形状とされ、浴室の下部において、２面の浴室側壁２，２と接している。
【００２９】
以上のように、本発明によれば、水平断面輪郭寸法が下方に向かって縮小する浴槽１を備え、浴室側壁２に隣接させる段部３に浴槽１の後半分部10が埋め込み状とされ、前半分部11が段部３から前方突出状とされ、かつ、前半分部11において、浴槽１の前方下方域ａ1 及び両側方下方域ａ2 ，ａ2 に欠損空間部Ａが形成されるため、（小さい浴室空間であっても）浴槽１の容積（体積）を小さくすることなく、洗い場４の有効なスペースを広く構成させることができ、快適な入浴が可能となる。
【００３０】
つまり、浴槽１の両側方領域（段部３の側部３ｃ前方領域）、及び、浴槽１の前方下方域ａ1 と両側方下方域ａ2 ，ａ2 に広い空間部が形成され、洗い場４を拡大させることができる。
さらに、浴槽１の下部において角部が無いためにすっきりして見え、視覚的にも洗い場４が広く見える。
また、浴槽１の後方側に不要な空間が生じず、水の浸入も無いため、水垢やカビ等の発生が無く、衛生的である。
【００３１】
また、欠損空間部Ａの欠損体積Ｖ1 は、浴槽１の前半分部11における上部の最大水平断面形状をそのまま下端まで同一断面形状として形成される仮想柱体Ｅの空間体積Ｖ0 の３０％〜４０％とされているため、有効な洗い場４の空間（スペース）を拡大させることができる。
つまり、例えば、洗い場４にて人が座った状態で、浴槽１の前方下方域ａ1 及び側方下方域ａ2 に、足を投げ出すようすることができる。
さらに、浴槽１の底部の面積が小さくなりすぎず安定性を損なうことがない。また、適切な比率であるため、浴槽１内における体積が小さくなり窮屈となることがない。
【００３２】
また、段部３の上面３ａは、浴槽１の上端１ａより下方位置に配設されているため、浴槽１の後方側において段部３の上面３ａが隠れ、視覚的にすっきりしたものとできる。
また、段部３内に、浴槽１内への配管用スペースとなり段部３の側部３ｃにおいて手前側から施蓋部材６にて閉じられて形成される空室部５が設けられていることにより、段部３から前方突出状となるよう浴槽１を設置してから、洗い場４にて、外部からの管と浴槽１内へ連通する管との接続作業が簡単に行なえる。
そして、接続後は、施蓋部材６にて施蓋すれば空室部５を隠すことができ、この施蓋部材６の取付けをボルト止め又は金具等により着脱可能な構造とすれば、後のメンテナンスを容易にすることができる。
【００３３】
また、段部３から前方に向かって洗い場床面８が配設され、洗い場床面８は浴槽１の下方位置に集排水凹部12を形成するための開口部14を備え、開口部14に平面蓋板13を施蓋して洗い場床面８と連続面状に形成されるため、集排水凹部12を隠すことができ、また、平面状の洗い場４を広くすることができる。
浴槽１内の水を集排水凹部12の上方位置で直ぐに排水させるため、長い排水管を布設する必要がない。
水を受ける床面は段部３から前方側のみでよく、浴槽１より後方領域における水の滞留が原因で不衛生となることがない。
【図面の簡単な説明】
【００３４】
【図１】本発明に係る浴室構造の実施の一形態を示す浴室内の斜視図である。
【図２】浴室構造の浴室内部における正面図である。
【図３】浴室構造の浴室内部における側面図である。
【図４】浴室構造の浴室内部における平面図である。
【図５】浴室構造の概略構造を示す斜視図である。
【図６】仮想柱体の説明図である。
【図７】浴室内のレイアウトを示す平面図である。
【図８】他のレイアウトを示す平面図である。
【図９】別のレイアウトを示す平面図である。
【符号の説明】
【００３５】
１  浴槽
１ａ  上端
２  浴室側壁
３  段部
３ａ  上面
３ｃ  側部
５  空室部
６  施蓋部材
８  洗い場床面
10  後半分部
11  前半分部
12  集排水凹部
13  平面蓋板
14  開口部
Ａ  欠損空間部
Ｅ  仮想柱体
Ｖ0   体積
Ｖ1   欠損体積
ａ1   前方下方域
ａ2   側方下方域
【図１】
2005054446.tif 000003
【図２】
2005054446.tif 000004
【図３】
2005054446.tif 000005
【図４】
2005054446.tif 000006
【図５】
2005054446.tif 000007
【図６】
2005054446.tif 000008
【図７】
2005054446.tif 000009
【図８】
2005054446.tif 000010
【図９】
2005054446.tif 000011